(57)【要約】【課題】視聴者の動画視聴を妨げたり、動画を表示する枠部分を含む画面デザインに制約を生じさせたりすることなく、画面の焼き付きを防止できる画像表示装置を提供する。【解決手段】画像表示装置は、動画と、グラフィックス及び／または静止画を含む画面を表示する画面表示手段と、グラフィックス及び／または静止画に対して第１の調整処理を行い、第１の調整処理の終了時点において動画を含むすべての表示画像のそれぞれの表示位置を、第１の調整処理の実施前とは異なる表示位置にずらす第２の調整処理を行う調整処理手段と、調整処理手段が第１の調整処理を開始するタイミングを決定するための情報を検出し、該検出した情報を基に、調整処理手段が第１の調整処理を開始するタイミングを決定するタイミング検出手段を備える。【選択図】図１
2010101988.tif 000002
【特許請求の範囲】
【請求項１】
動画と、グラフィックス及び／または静止画を含む画面を表示する画面表示手段と、
前記グラフィックス及び／または前記静止画に対して第１の調整処理を行い、前記第１の調整処理の終了時点において、前記動画を含むすべての表示画像のそれぞれの表示位置を、
前記第１の調整処理の実施前とは異なる表示位置にずらす第２の調整処理を行う調整処理手段と、
前記調整処理手段が前記第１の調整処理を開始するタイミングを決定するための情報を検出し、該検出した情報を基に、前記調整処理手段が前記第１の調整処理を開始するタイミングを決定するタイミング検出手段と、
を備えたことを特徴とする焼き付き防止機能を備えた画像表示装置。
【請求項２】
前記タイミング検出手段は、前記動画以外の画像表示部分が予め定めた一定時間変化しない状態が続いていることを検出する手段、または、前記動画の切れ目を検出する手段、または、ユーザによる無操作状態が一定時間経過したことを検出する手段、または、これらの手段を組み合わせた手段のいずれかであることを特徴とする請求項１記載の焼き付き防止機能を備えた画像表示装置。
【請求項３】
動画と、グラフィックス及び／または静止画を含む画面を表示する画像表示装置の焼き付き防止方法であって、
第１の調整処理を開始するタイミングを決定するための情報を検出し、該検出した情報を基に、前記第１の調整処理を開始するタイミングを決定するタイミング検出ステップと、
前記タイミング検出ステップで決定された前記タイミングにおいて、前記グラフィックス及び／または前記静止画の全部または一部に対して前記第１の調整処理を行う第１の調整処理ステップと、
前記第１の調整処理ステップにおける前記第１の調整処理の終了時に、前記動画を含むすべての表示画像のそれぞれの表示位置を、前記第１の調整処理の実施前とは異なる表示位置にずらす第２の調整処理を行う第２の調整処理ステップと、
を備えたことを特徴とする画像表示装置の焼き付き防止方法。
【請求項４】
前記タイミング検出ステップにおいて決定される前記タイミングは、前記動画以外の画像表示部分が予め定めた一定時間変化しない状態が続いた場合、または、前記動画の切れ目である場合、または、ユーザによる無操作状態が一定時間経過した場合、または、これらを組み合わせた場合のいずれかであることを特徴とする請求項３記載の画像表示装置の焼き付き防止方法。
【請求項５】
動画と、グラフィックス及び／または静止画を含む画面を表示する画像表示装置の焼き付き防止プログラムであって、
第１の調整処理を開始するタイミングを決定するための情報を検出し、該検出した情報を基に、前記第１の調整処理を開始するタイミングを決定するタイミング検出ステップと、
前記タイミング検出ステップで決定された前記タイミングにおいて、前記グラフィックス及び／または前記静止画の全部または一部に対して前記第１の調整処理を行う第１の調整処理ステップと、
前記第１の調整処理ステップにおける前記第１の調整処理の終了時に、前記動画を含むすべての表示画像のそれぞれの表示位置を、前記第１の調整処理の実施前とは異なる表示位置にずらす第２の調整処理を行う第２の調整処理ステップと、
を備えたことを特徴とする画像表示装置の焼き付き防止プログラム。
【請求項６】
前記タイミング検出ステップにおいて決定される前記タイミングは、前記動画以外の画像表示部分が予め定めた一定時間変化しない状態が続いた場合、または、前記動画の切れ目である場合、または、ユーザによる無操作状態が一定時間経過した場合、または、これらを組み合わせた場合のいずれかであることを特徴とする請求項５記載の画像表示装置の焼き付き防止プログラム。
【発明の詳細な説明】
【技術分野】
【０００１】
本発明は、放送やインターネットまたは外部のデバイスから送られた動画を、表示デバイスへ出力して表示する画像表示装置における画面の焼き付き防止方法、焼き付き防止プログラム、及び焼き付き防止機能を備えた画像表示装置に関する。
【背景技術】
【０００２】
従来、蛍光体を発光させて表示を行うプラズマディスプレイのような表示デバイスは、画面に「焼き付き」が発生するという問題があった。画面の焼き付きを防止するためには、グラフィックスや静止画を長時間表示することを避ける必要があり、一般的には、一定期間画面が静止状態になった場合にスクリーンセーバを起動させる方法がとられている。しかし、近年のデータ放送やインターネット動画サイト等においては、動画、静止画及びグラフィックが一つの画面に併存する場合が多くなってきており、このような場合、スクリーンセーバを起動させると、視聴者の動画視聴を妨げることになってしまうので、画面全体に及ぶスクリーンセーバを起動させることができないという課題が生じていた。
【０００３】
このような課題を解決するための方法が特許文献１に開示されている。特許文献１においては、グラフィックス、動画及び静止画に対して、拡大、縮小、等倍処理のいずれかの調整処理を行うことができ、表示画像がグラフィックスまたは静止画を含む場合に、調整処理の内容を変化させるという方法が開示されており、グラフィックス、動画及び静止画で構成されている画面の場合に、グラフィックスと静止画に対してのみ調整処理を行うことで、視聴者の動画視聴を妨げることなく焼き付きを防ぐことを可能としている。
【特許文献１】特開２００８−１６０５５３号公報
【発明の開示】
【発明が解決しようとする課題】
【０００４】
しかしながら、動画を表示する枠がずれてしまうと不自然な画面になってしまうことが多いため、特許文献１に開示されている従来の焼き付き防止方法では、動画の周り、特に動画を表示する枠部分のグラフィックスや静止画に対しては、大きな変化を生じさせることができず、枠部分に焼き付きが生じる可能性があるという課題があった。この課題を解決する一つの方法として、枠がずれても不自然さを生じさせないようにデザインをすることも可能ではあるが、この場合は、画面のデザインに大きな制約が生じてしまうという新たな課題が生じることになる。
【０００５】
本発明は、以上のような課題に鑑みてなされたものであり、動画と、静止画及び／またはグラフィックが一つの画面に併存するような画面、すなわち、表示画面上に小ウィンドウを切って動画を表示するような画面であっても、視聴者の動画視聴を妨げることなく、画面の焼き付きを防止することができる方法を提供することを目的とする。さらに、動画を表示する枠部分を含む画面のデザインに制約を生じさせることなく、画面の焼き付きを防止できる方法を提供することを目的とする。
【課題を解決するための手段】
【０００６】
上記目的を達成するために、本願の第１の発明の焼き付き防止機能を備えた画像表示装置は、動画と、グラフィックス及び／または静止画を含む画面を表示する画面表示手段と、前記グラフィックス及び／または前記静止画に対して第１の調整処理を行い、前記第１の調整処理の終了時点において、前記動画を含むすべての表示画像のそれぞれの表示位置を、前記第１の調整処理の実施前とは異なる表示位置にずらす第２の調整処理を行う調整処理手段と、前記調整処理手段が前記第１の調整処理を開始するタイミングを決定するための情報を検出し、該検出した情報を基に、前記調整処理手段が前記第１の調整処理を開始するタイミングを決定するタイミング検出手段と、を備えたことを特徴とするものである。
【０００７】
また、本願の第２の発明の焼き付き防止機能を備えた画像表示装置は、本願の第１の発明の焼き付き防止機能を備えた画像表示装置において、前記タイミング検出手段は、前記動画以外の画像表示部分が予め定めた一定時間変化しない状態が続いていることを検出する手段、または、前記動画の切れ目を検出する手段、または、ユーザによる無操作状態が一定時間経過したことを検出する手段、または、これらの手段を組み合わせた手段のいずれかであることを特徴とするものである。
【０００８】
また、本願の第３の発明の画像表示装置の焼き付き防止方法は、動画と、グラフィックス及び／または静止画を含む画面を表示する画像表示装置の焼き付き防止方法であって、第１の調整処理を開始するタイミングを決定するための情報を検出し、該検出した情報を基に、前記第１の調整処理を開始するタイミングを決定するタイミング検出ステップと、前記タイミング検出ステップで決定された前記タイミングにおいて、前記グラフィックス及び／または前記静止画の全部または一部に対して前記第１の調整処理を行う第１の調整処理ステップと、前記第１の調整処理ステップにおける前記第１の調整処理の終了時に、前記動画を含むすべての表示画像のそれぞれの表示位置を、前記第１の調整処理の実施前とは異なる表示位置にずらす第２の調整処理を行う第２の調整処理ステップと、を備えたことを特徴とするものである。
【０００９】
また、本願の第４の発明の画像表示装置の焼き付き防止方法は、本願の第３の発明の画像表示装置の焼き付き防止方法において、前記タイミング検出ステップにおいて決定される前記タイミングは、前記動画以外の画像表示部分が予め定めた一定時間変化しない状態が続いた場合、または、前記動画の切れ目である場合、または、ユーザによる無操作状態が一定時間経過した場合、または、これらを組み合わせた場合のいずれかであることを特徴とするものである。
【００１０】
また、本願の第５の発明の画像表示装置の焼き付き防止プログラムは、動画と、グラフィックス及び／または静止画を含む画面を表示する画像表示装置の焼き付き防止プログラムであって、第１の調整処理を開始するタイミングを決定するための情報を検出し、該検出した情報を基に、前記第１の調整処理を開始するタイミングを決定するタイミング検出ステップと、前記タイミング検出ステップで決定された前記タイミングにおいて、前記グラフィックス及び／または前記静止画の全部または一部に対して前記第１の調整処理を行う第１の調整処理ステップと、前記第１の調整処理ステップにおける前記第１の調整処理の終了時に、前記動画を含むすべての表示画像のそれぞれの表示位置を、前記第１の調整処理の実施前とは異なる表示位置にずらす第２の調整処理を行う第２の調整処理ステップと、を備えたことを特徴とするものである。
【００１１】
また、本願の第６の発明の画像表示装置の焼き付き防止プログラムは、本願の第５の発明の画像表示装置の焼き付き防止プログラムにおいて、前記タイミング検出ステップにおいて決定される前記タイミングは、前記動画以外の画像表示部分が予め定めた一定時間変化しない状態が続いた場合、または、前記動画の切れ目である場合、または、ユーザによる無操作状態が一定時間経過した場合、または、これらを組み合わせた場合のいずれかであることを特徴とするものである。
【発明の効果】
【００１２】
本発明によれば、グラフィックス及び／または静止画に対して回転処理などの第１の調整処理を行い、その終了時に、動画とグラフィックス及び／または静止画の表示位置を、第１の調整処理の実施前とは異なる位置にずらす第２の調整処理を行うことにより、グラフィックス及び／または静止画が回転処理などの第１の調整処理によって大きく変化した後に、動画を含むすべての表示画像の表示位置をずらすので、ユーザは動画の位置がずれたことに気づきにくくなる。さらに、画像表示装置が表示している動画の切れ目、すなわちインターネットからの動画ファイルが切り替わるタイミングや、チャプタの切り替えタイミングで第１及び第２の調整処理を行うことにより、ユーザは動画の位置がずれたことにより一層気づきにくくなる。
【００１３】
したがって、本発明によれば、視聴者の動画視聴を妨げたり、動画を表示する枠部分を含む画面デザインに制約を生じさせたりすることなく、画像表示装置の画面の焼き付きを防止することができる。
【発明を実施するための最良の形態】
【００１４】
以下に、本発明を実施するための最良の形態について、図面を参照しながら説明する。
【００１５】
（実施の形態１）
図１は、本発明の実施の形態１に係る画像表示装置の構成を示すブロック図である。なお、本発明の実施の形態１においては、画像表示装置１０がインターネットの動画サイト等からの動画を受信して再生することを想定する。
【００１６】
図１において、焼き付き防止機能を備えた画像表示装置１０は、調整処理部１１、タイマー１２、画面表示部１３、動画受信部１４、インターネット動画管理部１５および動画再生処理部１６で構成されている。
【００１７】
調整処理部１１は、静止画、グラフィックス及び動画のすべてまたはいずれかの調整処理を行う。タイマー１２は、画面表示部１３からの指示に基づいてタイマーを始動させ、動画以外の画像表示部分が変化していない状態が続く時間を計測し、変化していない状態が予め定めた一定時間を経過した場合にその旨をインターネット動画管理部１５に通知する。この通知などを基にして、調整処理部１１は調整処理を開始する。画面表示部１３は、動画再生処理部１６からのデコード処理等が行われた動画や、インターネット動画管理部１５からの画像情報などを表示するとともに、動画以外の画像表示部分が変化しているか否かを検出し、変化していない状態にあることを検出した場合はタイマー１２に指示してタイマーを始動させる。
【００１８】
動画受信部１４は、インターネット上の動画サイトや放送から動画及び付帯情報（タイトル、解説及び時間長等）を受信する。動画受信部１４において受信されている動画は、受信が完了した部分から動画再生処理部１６に送られる。
【００１９】
インターネット動画管理部１５は、インターネットからの動画の付帯情報や、再生中の動画の時間長と動画再生処理部１６から取得した再生時間位置から、その動画が終了するまでの時間を管理するとともに、調整処理部１１に対して調整処理を開始するタイミングを通知する。動画再生処理部１６は、動画受信部１４から受信した動画のデコード処理等を行い、そのデコード処理等を行った動画を画面表示部１３に送信するが、その際、動画の再生時間位置を更新し保持する。
【００２０】
図２は、本発明の実施の形態１に係る画像表示装置における表示画面の一例を示す図である。
【００２１】
図２において、表示画面は、動画２１と静止画（ロゴ２５及び代表静止画２４１）、及びグラフィックス（ボックス２２、テキスト２３、ボックス２４、枠２１１、ボタン２２１、ボタン２２２、ボタン２２３、バー２２４、テキスト２２５、テキスト２４２及びボタン２４３）が一つの画面に併存する形で表示されている。
【００２２】
動画２１は再生中の動画であり、ボックス２２は動画を制御するボタンの表示領域を示すボックスであり、テキスト２３は再生中の動画のタイトル等のテキストであり、ボックス２４は再生可能な動画のカタログの表示領域を示すボックスであり、ロゴ２５はこの画面を提供している企業等のロゴである。
【００２３】
また、枠２１１は動画の表示領域を示す枠であり、ボタン２２１は巻き戻しボタンであり、ボタン２２２は再生・一時停止ボタンであり、ボタン２２３は早送りボタンであり、バー２２４は再生位置表示バーであり、テキスト２２５は再生経過時間とトータル再生時間を表すテキストである。また、代表静止画２４１はそれぞれの動画の代表静止画（サムネール）であり、テキスト２４２は該当する動画のタイトルや解説等のテキストであり、ボタン２４３はカタログをスクロールするためのボタンである。
【００２４】
図２に示す画面において、動画２１はインターネットの動画サイト等に記録されている動画を、再生時に画像表示装置１０が受信する。再生可能な動画のカタログの表示領域を示すボックス２４には、例えば、特定のカテゴリに含まれる動画のサムネールやタイトル等が表示される。本発明の実施の形態１では、ボックス２４に表示されるカタログ内の動画が次々と再生されることを想定する。この場合、動画２１を表示する部分以外は変化しないので、この状態で長時間の視聴を続けると、動画２１以外を表示している部分は焼き付きを起こす可能性が高いが、ユーザが動画を視聴し続けているので、スクリーンセーバを起動させることができない状況になっている。
【００２５】
以上のような状況下においても焼き付き防止の効果を発揮することができる本発明の実施の形態１に係る画像表示装置の焼き付き防止方法について、図３及び図４を用いて説明する。なお、図３及び図４は、本発明の実施の形態１における焼き付き防止のための調整処理が行われた際の画面の一例を示す図である。
【００２６】
本発明の実施の形態１に係る画像表示装置１０においては、タイマー１２が一定時間、動画以外の画像表示部分が変化しない状態が続いたことを計測した場合、調整処理部１１は、動画２１とその枠２１１を除くグラフィックス及び静止画を回転させる調整処理（第１の調整処理）を行うが、図３は、具体的には、この場合の第１の調整処理の経過状態の一例を示す図である。
【００２７】
図３においては、画面の左右がそれぞれ同じ方向に同じように回転する調整処理の例を挙げたが、これに限るものではなく、例えば、画面を構成する各静止画及び／または各グラフィックスが個々に回転してもよいし、また、静止画及び／またはグラフィックスをいくつかのグループに分け、そのグループ毎に回転しても、その他どのような回転をしてもよく、また、その回転の方向も任意である。
【００２８】
次に、以上のグラフィックス及び／または静止画を回転させる第１の調整処理が終了した時点（着地点）で、調整処理部１１は、動画２１と動画２１の表示領域を示す枠２１１を含む全画面をずらして表示するなどの調整処理（第２の調整処理）を行う。図４は、具体的には、この場合の第２の調整処理の経過状態の一例を示す図である。
【００２９】
図４において、破線で示した部分は、全画面をずらして表示する第２の調整処理を実施する前の各静止画、各グラフィック及び動画の位置、すなわち図２に示された画面を示すものであり、実線で示した部分は、全画面をずらして表示するなどの第２の調整処理を実施した後の各静止画、各グラフィック及び動画の位置を示すものである。
【００３０】
以上のように、グラフィックス及び静止画に対して回転処理などの第１の調整処理を行い、その回転処理などの第１の調整処理の終了時点で、グラフィックス、静止画及び動画のそれぞれの表示位置を、回転処理などの第１の調整処理の実施前の表示位置から表示位置をずらす第２の調整処理を実行することから、グラフィックス及び静止画が回転処理などの第１の調整処理によって大きく変化した後に表示位置をずらすことになるので、ユーザは動画の位置がずれたことに気づきにくくなる。
【００３１】
なお、調整処理部１１が第１の調整処理を開始させるタイミングの一つとしては、画面上の動画以外の画像表示部分が予め定めた一定時間変化しない状態が続いた場合が考えられるが、これ以外に、一つの動画が終了して次の動画が始まるまでの動画の切れ目（例えば、動画ファイルが切り替わるタイミングやチャプタの切り替えタイミングなど）でもよく、また、ユーザによる無操作状態が一定時間経過した場合でもよく、更に、それらの組み合わせであってもよい。
【００３２】
ここで、特許請求の範囲に記載の各手段と、図１に記載の画像表示装置１０の各ブロック（各部及びタイマー）との関係について説明する。画面表示手段は画面表示部１３に相当し、調整処理手段は調整処理部１１に相当する。また、タイミング検出手段は、画面表示部１３、タイマー１２及びインターネット動画管理部１５で構成される。ただし、図１に示す本発明の実施の形態１においては、タイミング検出手段は、動画以外の画像表示部分が予め定めた一定時間変化しない状態が続いていることを検出する手段の一例を示すものであり、タイミング検出手段が、動画の切れ目を検出する手段である場合、あるいは、ユーザによる無操作状態が一定時間経過したことを検出する手段である場合、あるいは、それらの組み合わせによる検出手段である場合は、それぞれに対応した検出手段を新たに設ける必要がある。
【００３３】
次に、図１及び図５を参照しながら、調整処理部１１が第１の調整処理を開始させるタイミングを、動画以外の画像表示部分が予め定めた一定時間変化しない状態が続いた場合と、一つの動画が終了して次の動画が始まるまでの動画の切れ目における場合とを組み合わせた調整処理の実行について説明する。なお、図５は、本発明の実施の形態１に係る画像表示装置の動作の流れを示すフローチャートである。図５に示すフローチャートは、図２〜図４で説明した調整処理に基づく画面の遷移に関係する部分のみを抜き出して記載しており、画像表示装置１０の他の動作については記載していない。また、ここでの動画の切れ目とは、例えば、インターネットからの動画ファイルが切り替わるタイミングや、チャプタの切り替えタイミングなど、一つの動画から次の動画に切り替わる動画の区切り部分を意味する。
【００３４】
図５において、図１に示す画面表示部１３が図２に示す画面を表示すると（Ｓ１）、画面表示部１３は、タイマー１２に指示して、タイマーを起動させる（Ｓ２）。なお、この時点で、動画受信部１４が受信しているインターネットからの動画が、動画再生処理部１６での処理を経て、画面表示部１３（図２に示す動画２１の部分）に表示されている。また、タイトル、解説及び時間長等の付帯情報が、インターネット動画管理部１５を経て、画面表示部１３（図２に示す各々の表示位置）に表示されている。
【００３５】
次に、タイマー１２が予め定めた時間を経過したか否か、いわゆるタイムアウトしたか否かを確認し（Ｓ３）、タイムアウトしたことを確認した場合（ステップＳ３において「はい」の場合）、タイマー１２はその旨をインターネット動画管理部１５に知らせる。インターネット動画管理部１５は、タイマー１２からタイムアウトした旨の情報を受け取ると、現在画面表示部１３に表示中の動画の終了までの時間が予め定めた一定時間（ｓ秒）以下であるか否かを確認し（Ｓ４）、一定時間（ｓ秒）以下である場合（ステップＳ４において「はい」の場合）は、さらに、現在画面表示部１３に表示中の動画の再生が終了したか否かを確認し（Ｓ５）、表示中の動画の再生が終了したことを確認した場合（ステップＳ５において「はい」の場合）に、インターネット動画管理部１５は、調整処理部１１に対して回転処理などの第１の調整処理を行うよう指示し、調整処理部１１は、インターネット動画管理部１５の指示を受けて、回転処理などの第１の調整処理及び第２の調整処理を実行した（Ｓ６）後、ステップＳ２に戻る。
【００３６】
一方、ステップＳ４において、現在画面表示部１３に表示中の動画の終了までの時間が予め定めた一定時間（ｓ秒）以下でない場合（ステップＳ４において「いいえ」の場合）は、直ちに第１の調整処理及び第２の調整処理（Ｓ６）に移行する。この場合は、動画の切れ目で調整処理を行う場合より、ユーザは調整処理に基づく画面の変化に気づき易いが、映画等の長時間の動画を再生している場合の焼き付き防止には有効である。
【００３７】
以上のように、本発明の実施の形態１に係る画像表示装置の焼き付き防止方法によれば、グラフィックス及び／または静止画に対して回転処理などの第１の調整処理を行い、その回転処理などの第１の調整処理の終了時点で、動画とグラフィックス及び／または静止画のそれぞれの表示位置を、回転処理などの第１の調整処理の実施前とは異なる表示位置にずらすための第２の調整処理を実行することから、グラフィックス及び／または静止画が回転処理などによって大きく変化した後に表示位置をずらすことになるので、ユーザは動画の位置がずれたことに気づきにくくなる。さらに、動画の切れ目で第１及び第２の調整処理を行うことを組み合わせることにより、ユーザは動画の表示位置がずれたことにより一層気づきにくくなる。したがって、視聴者の動画視聴を妨げたり、動画を表示する枠部分を含む画面デザインに制約を生じさせたりすることなく、画像表示装置の画面の焼き付きを防止することが可能となる。
【００３８】
なお、本発明は、本発明の実施の形態１における各手段を備える焼き付き防止機能を備えた画像表示装置として提供することができるばかりでなく、焼き付き防止機能を備えた画像表示装置が具備する各手段を各ステップとする画像表示装置の焼き付き防止方法、及び、画像表示装置の焼き付き防止方法をコンピュータに実行させる画像表示装置の焼き付き防止プログラムを提供することも可能である。そして、この画像表示装置の焼き付き防止プログラムは、ＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体やインターネットを介して流通させることができる。
【産業上の利用可能性】
【００３９】
本発明に係る焼き付き防止機能を備えた画像表示装置、画像表示装置の焼き付き防止方法、及び画像表示装置の焼き付き防止プログラムは、動画、グラフィックス及び／または静止画を含む画面を表示する、例えば、表示画面を小ウィンドウに切って動画を表示する表示装置や表示デバイスなどに適用することができる。
【図面の簡単な説明】
【００４０】
【図１】本発明の実施の形態１に係る画像表示装置の構成を示すブロック図
【図２】本発明の実施の形態１に係る画像表示装置における表示画面の一例を示す図
【図３】本発明の実施の形態１における焼き付き防止のための第１の調整処理が行われた際の画面の一例を示す図
【図４】本発明の実施の形態１における焼き付き防止のための第２の調整処理が行われた際の画面の一例を示す図
【図５】本発明の実施の形態１に係る画像表示装置の動作の流れを示すフローチャート
【符号の説明】
【００４１】
１０  画像表示装置
１１  調整処理部
１２  タイマー
１３  画面表示部
１４  動画受信部
１５  インターネット動画管理部
１６  動画再生処理部
２１  再生中の動画
２２  動画を制御するボタンの表示領域を示すボックス
２３  再生中の動画のタイトル等のテキスト
２４  再生可能な動画のカタログの表示領域を示すボックス
２５  画面を提供している企業等のロゴ
２１１  動画の表示領域を示す枠
２２１  巻き戻しボタン
２２２  再生・一時停止ボタン
２２３  早送りボタン
２２４  再生位置表示バー
２２５  再生経過時間とトータル再生時間を表すテキスト
２４１  それぞれの動画の代表静止画（サムネール）
２４２  該当する動画のタイトルや解説等のテキスト
２４３  カタログをスクロールするためのボタン
【図１】
2010101988.tif 000003
【図２】
2010101988.tif 000004
【図３】
2010101988.tif 000005
【図４】
2010101988.tif 000006
【図５】
2010101988.tif 000007